(57)【特許請求の範囲】
【請求項１】
糊付機本体の後部から引き入れたシート状壁装材を前方へ送り出しながら、前記糊付機本体内の糊桶に収容されている糊をローラで引き上げて前記壁装材の裏面に転写することによって連続的に糊を塗布する壁紙糊付機において、
糊液を保持した糊タンクと、
この糊タンク内の糊液を前記糊桶内へ供給する糊液供給ポンプ装置と、
前記糊タンクと前記糊桶との間に配設された糊送給パイプと、
誤動作の防止のために前記糊付機本体の制御部から糊液供給ポンプ装置への給電線の途中に配された糊液供給ポンプの給電をＯＮ−ＯＦＦ制御して前記糊液供給ポンプ装置の駆動を制御する制御スイッチと、を糊付機本体の外部に備え、
前記制御スイッチが前記制御スイッチを壁紙糊付機に着脱自在に磁気吸着させる磁石手段と、糊付機本体の側壁に配置された位置決め手段とを含む係止手段によって壁紙糊付機に着脱自在に取付けられ、
前記位置決め手段が、前記制御スイッチを受け入れ可能に前記側壁に形成された窪みを含むことを特徴とする糊液供給ポンプ付き壁紙糊付機。
【発明の詳細な説明】
【０００１】
【発明の属する技術分野】
本発明は、室内壁面等に貼付されるシート状壁装材の裏面に連続的に糊を塗布する壁紙糊付機に関するものである。
【０００２】
【従来の技術】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟挟み込んだシート状壁装材（以下、クロスと記す）をローラで搬送しながら、下部構体の糊桶から糊をローラで糊上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機では、効率的で均一な糊付けを行えるという点では、自動式の壁紙糊付機の使用が好まれる。しかしながら、糊付機は現場へ搬送してそこで組立てられ、使用後は分解して再び持ち帰って収納しておくものであるため、小型で軽量であることが望まれるが、自動壁紙糊付機は、モータ等の駆動部及びそのコントロール部とを備える分、手動式のものより大型化し、重量も増えてしまう。
【０００７】
従って、自動壁紙糊付機において、糊付機本体の小型軽量化を目的とし、糊桶を小さくし、小さくしたことで頻繁に糊の供給を行わないように、糊液供給ポンプを備えた自動壁紙糊付機が実用化されるに至っている。
【０００８】
糊液供給ポンプの制御は、多くの場合、自動壁紙糊付機本体の制御部で糊液供給ポンプの駆動電源の供給を制御することにより行う。また、誤動作の防止等のため本体制御部から糊液供給ポンプへの給電線には、糊液供給ポンプの給電をＯＮ−ＯＦＦする制御スイッチが配されている。
【０００９】
【発明が解決しようとする課題】
しかしながら、糊液供給ポンプの制御スイッチは、安易に作業現場の床上に放置できない。作業現場は工具や資材等がよく放置してあり、制御スイッチがこれらに当たって破損する場合や、作業現場で水等がこぼされ、床上に放置された制御スイッチが短絡する場合が充分に想定されるからである。また、作業現場床上に放置しないために、制御スイッチが連設するコードを糊付機本体や作業現場の壁面等に止めてもよいが、取り付け取り外しが煩雑になる。
【００１０】
本発明は、制御スイッチを作業現場の床上に放置することのなく、より好ましくは簡略に取り付け取り外しが可能な糊液供給ポンプ付き壁紙糊付機を得ることを目的とする。
【００１１】
【課題を解決するための手段】
請求項１に記載された発明に係る壁紙裁断装置は、糊付機本体の後部から引き入れたシート状壁装材を前方へ送り出しながら、前記糊付機本体内の糊桶に収容されている糊をローラで引き上げて前記壁装材の裏面に転写することによって連続的に糊を塗布する壁紙糊付機において、
糊液を保持した糊タンクと、
この糊タンク内の糊液を前記糊桶内へ供給する糊液供給ポンプ装置と、
前記糊タンクと前記糊桶との間に配設された糊送給パイプと、
誤動作の防止のために前記糊付機本体の制御部から糊液供給ポンプ装置への給電線の途中に配された糊液供給ポンプの給電をＯＮ−ＯＦＦ制御して前記糊液供給ポンプ装置の駆動を制御する制御スイッチと、を糊付機本体の外部に備え、
前記制御スイッチが前記制御スイッチを壁紙糊付機に着脱自在に磁気吸着させる磁石手段と、糊付機本体の側壁に配置された位置決め手段とを含む係止手段によって壁紙糊付機に着脱自在に取付けられ、
前記位置決め手段が、前記制御スイッチを受け入れ可能に前記側壁に形成された窪みを含むものである。
【００１５】
【発明の実施の形態】
本発明においては、糊液を保持した糊タンクと、この糊タンク内の糊液を前記糊桶内へ供給する糊液供給ポンプ装置と、前記糊タンクと前記糊桶との間に配設された糊送給パイプと、前記糊液供給ポンプ装置の駆動を制御する制御スイッチと、を糊付機本体の外部に備え、前記制御スイッチが係止手段によって壁紙糊付機に着脱自在に取付けられているものであるため、制御スイッチを作業現場の床上に放置することがなくなり、制御スイッチの破損や短絡等が防止される。
【００１６】
本発明の制御スイッチとしては、糊液供給ポンプ装置の駆動を制御するものを指す。従って、糊液供給ポンプ装置から有線で分岐されたポンプの回転数を制御する制御スイッチ、糊液供給ポンプ装置を無線でポンプの回転数を制御する制御スイッチや、多くの場合、誤動作の防止等のために自動壁紙糊付機本体の制御部から糊液供給ポンプ装置への給電線の途中に配された糊液供給ポンプの給電をＯＮ−ＯＦＦする制御スイッチをも指す。
【００１７】
本発明の係止手段としては、確実に壁紙糊付機に着脱自在に取付けられるものであればよい。例えば、制御スイッチの操作面の裏面側に貼り合わせファスナー（面ファスナー）の一面を装着し、糊付機本体、糊付機本体を載置する台座部、台座部を支持する脚部等からなる壁紙糊付機の予め定められた箇所に貼り合わせファスナー（面ファスナー）の他面を装着したものや、互いに嵌合し合う一対の治具を制御スイッチと壁紙糊付機の予め定められた箇所とに配するものであってもよいが、より好ましくは、制御スイッチと壁紙糊付機とを着脱自在に磁気吸着する磁石手段を含む。
【００１８】
磁石手段は、少なくとも制御スイッチか、壁紙糊付機の予め定められた箇所かに、磁石を配すればよい。尚、制御スイッチと壁紙糊付機の予め定められた箇所との両方に磁石を配してもよく、この場合には、磁極を互いに吸引する方向にすることは言うまでもない。少なくとも制御スイッチ側に磁石を配すれば、大部分がステンレス製で構成されている糊付機本体、この糊付機本体を載置する台座部、この台座部を所定高さで支持するための脚部等に係止することができる。
【００１９】
しかしながら、作業現場では、不測の事態に備えて駆動の制御を行うスイッチ類等は予め定められた箇所に配されるべきものである。従って、好ましくは、係止手段は、制御スイッチを糊付機本体の予め定められた箇所に着脱自在に取付けられるものである。具体的には、糊付機本体、台座部、脚部の何れかの予め定められた箇所に磁石を配し、この磁石に吸着する鉄製部品又は磁石を制御スイッチに配すればよい。
【００２０】
更に、糊付機本体の予め定められた箇所に着脱自在に取付けられた制御スイッチは、不用意に脱落すると、破損や短絡等の事故に繋がる。そのため不用意な脱落を防止するために、好ましくは、糊付機本体の予め定められた箇所として、前記制御スイッチを保持可能な凹状の窪みを形成する。
【００２１】
【実施例】
図１は本発明の糊液供給ポンプ付き壁紙糊付機の側方からの概略構成を示す説明図である。図２は図１の糊液供給ポンプ付き壁紙糊付機の要部の構成を示す斜視図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚４と後脚５とで構成される脚部３とからなる。
【００２２】
糊付機本体１は、糊桶６を主とする下部構体７とその上に開閉可能に載置される上部構体８とによって構成される。下部構体７の後面側には着脱可能なスリッター部９が配され、上部構体８はこのスリッター部９と下部構体７とを覆うように配されている。
【００２３】
糊桶６内には、糊付けローラ１０が配され、この糊付けローラ１０は、糊桶６の両側側板に回転可能に軸止されており、その回転軸が、糊付機本体に着脱自在に取付けられる駆動源である電動モータを備えたコントローラ（図示せず）の回転軸に連結されている。糊桶の側板に軸止された糊付けローラ１０の回転軸は、下部構体に配置されるドクターローラ１１、送り出しローラ１２、均しローラ１３及び上部構体に配置される検尺ローラ１４、押さえローラ１５、ドライブローラ１６のうちの所定ローラの回転軸とギアを介して連動される。
【００２４】
糊付けローラ１０の回転に伴って、ギアを介して回転運動が伝達された他のローラも回転し、上下部構体間に挟み込まれているクロスＣを後方から前方へ搬送し、その途中で糊付けローラ１０上を搬送される際に糊桶６から引き上げられた糊がクロス裏面に転写塗布される。
【００２５】
また、糊付機本体１の外部には、糊液が収容されている糊液タンク２０と、糊液タンク２０内の糊を糊桶へ連続的に供給するポンプ装置２１とが配されている。ポンプ装置２１は、糊付機本体側の駆動と同期して駆動し、吸入口２２からタンク内の糊液を吸い込み、吐出口２３から糊桶６内に連通する供給パイプ２４を介して、糊付けローラ１０によるクロス裏面への糊塗布に基づく糊桶６内の糊液の減少量と同等以上の流量で、糊液を供給口１７から糊桶６内へ供給する。
【００２６】
一方、糊桶６には、糊桶６内の糊液面が所定の上限液面に達したことを検知する液面センサー１８が設置されており、この検知結果を糊付機本体に着脱自在に取付けられるコントローラの制御部で判断し、ポンプ装置２１の駆動を制御する。尚、図示しないコントローラは糊付機本体１の一側面側に配され、ポンプ装置２１からの供給パイプ２４は他側面側に配される。コントローラからポンプ装置の制御は、清掃時には取り外されるスリッター部９内を通り、スリッター部９の他側面側の後面に配されたソケット２５に接続された給電線２６での駆動電源の制御で行われる。
【００２７】
給電線２６の途中には、誤動作の防止等のために糊液供給ポンプの給電をＯＮ−ＯＦＦする制御スイッチ２７が設けられている。図２に示す通り、制御スイッチ２７は糊付機本体１の側壁に位置決め手段として形成されたこの制御スイッチ２７の外形に合致した窪み２８に保持される。即ち、窪み２８の凹部構造は、制御スイッチ２７の操作面の裏面側の外形が略半分嵌るような形状となり、窪み２８に対して垂直な方向にのみ着脱が可能となっている。
【００２８】
また、窪み２８の最底部には係止手段としての磁石が設置されており、対応する制御スイッチ２７の底部には、鉄部材が埋設されている。この磁石と鉄部材との磁気吸着により、制御スイッチ２７は窪み２８に着脱自在に配することができる。従って、制御スイッチ２７の不用意な脱落を防止することが可能となる。
【００２９】
【発明の効果】
本発明は以上説明した通り、制御スイッチを作業現場の床上に放置することがなくなり、制御スイッチの破損や短絡等を防止することができるという効果がある。
【図面の簡単な説明】
【図１】本発明の糊液供給ポンプ付き壁紙糊付機の側方からの概略構成を示す説明図である。
【図２】図１の糊液供給ポンプ付き壁紙糊付機の要部の構成を示す斜視図である。
【符号の説明】
１…糊付機本体、
２…台座部、
３…脚部、
４…前脚、
５…後脚、
６…糊桶、
７…下部構体、
８…上部構体、
９…スリッター部、
１０…糊付けローラ、
１１…ドクターローラ、
１２…送り出しローラ、
１３…均しローラ、
１４…検尺ローラ、
１５…押さえローラ、
１６…ドライブローラ、
１７…供給口、
２０…糊液タンク、
２１…ポンプ装置、
２２…吸入口、
２３…吐出口、
２４…供給パイプ、
２５…ソケット、
２６…給電線、
２７…制御スイッチ、
２８…窪み、
【図１】
0004753462.tif 000002
【図２】
0004753462.tif 000003